(57)【特許請求の範囲】
【請求項１】
建物外壁に配置した窓枠（３）内に、障子（４）を建物の内外方向に揺動可能な状態で支持していて、その障子（４）は、付勢手段によって建物外部側へ揺動するように付勢されており、
交差状に組み付けられていて、その交差位置に設けた支軸（１３）を支点に揺動する一対のアーム（１５・１６）と、一方のアーム（１５）の基端部（１５ａ）を揺動可能に支持する一方の開閉操作部（１８）と、他方のアーム（１６）の基端部（１６ａ）を揺動可能に支持する他方の開閉操作部（１７）と、両アーム（１５・１６）の先端部（１５ｂ・１６ｂ）を障子（４）の框（６）の下框（６ｂ）に沿ってスライド移動可能に支持するガイド部材（１９）とを有しており、
ガイド部材（１９）は、障子（４）の下框（６ｂ）に設けており、
両開閉操作部（１７・１８）は、窓枠（３）の下枠（３ｂ）に沿ってそれぞれスライド移動可能に構成していて、障子（４）の揺動に応じて両アーム（１５・１６）が、基端部（１５ａ・１６ａ）どうしおよび先端部（１５ｂ・１６ｂ）どうしが互いに反対方向へ揺動するように構成しており、
一方の開閉操作部（１８）は、操作手段（３１）によって前記スライド移動が規制されるように構成していて、障子（４）は、前記規制された移動に応じた開度に開くようになっており、
障子（４）が開いている場合に風が建物外部側から障子（４）に当たったときには、他方の開閉操作部（１７）が移動して障子（４）が建物内部側へ揺動することを特徴とする窓開閉装置。
【請求項２】
障子（４）の上端部が、縦枠（３ａ）に配置したガイド（９）に沿って上下方向に移動可能になっており、
前記付勢手段は、障子（４）の自重と、窓枠（３）の縦枠（３ａ）の上下中間部と障子（４）の框（６）の縦框（６ａ）の上下中間部とに掛け渡してあってそれらの縦框（６ａ）と縦枠（３ａ）とに対して揺動可能に構成しているロッド（８）とからなり、
障子（４）の自重による障子（４）の上端部の下降に伴ってロッド（８）が揺動して、障子（４）を建物外部側へ付勢することを特徴とする請求項１記載の窓開閉装置。
【請求項３】
障子（４）を全閉姿勢でロックするロック機構を有しており、
ロック機構は、障子（４）の下框（６ｂ）に配置している一対の係止部（３８ａ・３９ａ）と、各係止部（３８ａ・３９ａ）をそれぞれ係止するための一対のフック（２５・３５）とを有しており、
一方のフック（３５）は、一方の開閉操作部（１８）に揺動自在に支持していて、バネ（３７）の付勢によって前記障子（４）の全閉姿勢での一方の係止部（３８ａ）を係止した状態を保持するように構成しており、
他方のフック（２５）は、一方の開閉操作部（１８）と連動してスライド移動する基台（２７）に揺動自在に支持していて、バネ（２８）の付勢によって前記障子（４）の全閉姿勢での他方の係止部（３９ａ）を係止した状態を保持するように構成しており、
操作手段（３１）での操作によって一方の開閉操作部（１８）が前記スライド移動したときに、一方のフック（３５）が一方の係止部（３８ａ）から外れるとともに、一方の開閉操作部（１８）の移動に連動して基台（２７）がスライド移動して、他方のフック（２５）が他方の係止部（３９ａ）から外れることを特徴とする請求項２記載の窓開閉装置。
【請求項４】
障子（４）が全閉姿勢にあるときに、各フック（２５・３５）が係止部（３８ａ・３９ａ）から外れる方向にアーム（１５・１６）を付勢するバネ（５８）を設けていることを特徴とする請求項３記載の窓開閉装置。
【請求項５】
一方の開閉操作部（１８）には、前記操作手段としてのワイヤーロープ（３１）を架け渡した滑車（３２・３３）を支持しており、
そのワイヤーロープ（３１）の滑車（３２・３３）への送り出しによって一方の開閉操作部（１８）のスライド移動を規制することを特徴とする請求項４記載の窓開閉装置。
【請求項６】
障子（４）を建物外部側へ付勢する補助バネ（６１）を設けていることを特徴とする請求項１ないし５のいずれかに記載の窓開閉装置。
【請求項７】
操作手段（３１）は、複数の位置で一方の開閉操作部（１８）を保持するように
構成していることを特徴とする請求項１ないし６のいずれかに記載の窓開閉装置。
【発明の詳細な説明】
【技術分野】
【０００１】
本発明は、換気や排煙を行うために開閉する窓開閉装置に関するものである。
【背景技術】
【０００２】
例えば特許文献１に示すように、障子の上端部が窓枠の縦枠に配置したガイドレールに沿って上下方向に移動可能になっているとともに、窓枠の縦枠の上下中間部と障子の縦框の上下中間部とにメインアームを掛け渡し、障子の自重で障子の上端部が下降することに伴ってメインアームが揺動して、障子を建物外部側へ揺動させて換気や排煙を行う窓開閉装置（辷出し窓）がある。
【０００３】
また、特許文献１の窓開閉装置にあっては、障子側アームと無目側アームとを折れ線状に接続した引寄せアームで障子の下框と無目とを連結し、その無目側アームを無目に配置した回動プレートで押して引寄せアームを揺動させることで、障子を開閉操作するようになっている。
【先行技術文献】
【特許文献】
【０００４】
【特許文献１】特開２００８−３０８９３０号公報
【発明の概要】
【発明が解決しようとする課題】
【０００５】
前記特許文献１の窓開閉装置にあっては、折れ線状に並んだ障子側アームと無目側アームとで、障子の自重で建物外部側へ揺動しようとする障子の開閉を規制するために、各アームの負担が大きく、その分だけ引寄せアームの寿命が短くなる。また、回動プレートは、無目側アームにおける無目側の揺動軸近傍を押すように構成しているために、その分だけ押す力を大きくしなければならないといった問題点があった。
【０００６】
本発明は、かかる不都合を解決することを目的として提供されたものであり、障子を開閉操作する機構の負担を軽くして長寿命化が図れる窓開閉装置を提供することにある。加えて障子を開閉操作するための力を低減できるようにすることにある。
【課題を解決するための手段】
【０００７】
本発明は、かかる不都合を解決するために、建物外壁に配置した窓枠３内に、障子４を建物の内外方向に揺動可能な状態で支持していて、その障子４は、付勢手段によって建物外部側へ揺動するように付勢されており、交差状に組み付けられていて、その交差位置に設けた支軸１３を支点に揺動する一対のアーム１５・１６と、一方のアーム１５の基端部１５ａを揺動可能に支持する一方の開閉操作部１８と、他方のアーム１６の基端部１６ａを揺動可能に支持する他方の開閉操作部１７と、両アーム１５・１６の先端部１５ｂ・１６ｂを障子４の框６の下框６ｂに沿ってスライド移動可能に支持するガイド部材１９とを有しており、ガイド部材１９は、障子４の下框６ｂに設けており、両開閉操作部１７・１８は、窓枠３の下枠３ｂに沿ってそれぞれスライド移動可能に構成していて、障子４の揺動に応じて両アーム１５・１６が、基端部１５ａ・１６ａどうしおよび先端部１５ｂ・１６ｂどうしが互いに反対方向へ揺動するように構成しており、一方の開閉操作部１８は、操作手段３１によって前記スライド移動が規制されるように構成していて、障子４は、前記規制された移動に応じた開度に開くようになっており、障子４が開いている場合に風が建物外部側から障子４に当たったときには、他方の開閉操作部１７が移動して障子４が建物内部側へ揺動することを特徴とするものである。ここでの付勢手段としては、障子４の自重やバネなどが該当する。ここでは、後述のロック機構を有さない場合と、そのロック機構を有する場合とが含まれ、またロック機構を有する場合であって、係止部およびフックがそれぞれ一個だけの場合も含まれる。
【０００８】
具体的には、障子４の上端部が、縦枠３ａに配置したガイド９に沿って上下方向に移動可能になっており、付勢手段は、障子４の自重と、窓枠３の縦枠３ａの上下中間部と障子４の框６の縦框６ａの上下中間部とに掛け渡してあってそれらの縦框６ａと縦枠３ａとに対して揺動可能に構成しているロッド８とからなり、障子４の自重による障子４の上端部の下降に伴ってロッド８が揺動して、障子４を建物外部側へ付勢するようになっている。
【０００９】
また、障子４を全閉姿勢でロックするロック機構を有しており、ロック機構は、障子４の下框６ｂに配置している一対の係止部３８ａ・３９ａと、各係止部３８ａ・３９ａをそれぞれ係止するための一対のフック２５・３５とを有しており、一方のフック３５は、一方の開閉操作部１８に揺動自在に支持していて、バネ３７の付勢によって障子４の全閉姿勢での一方の係止部３８ａを係止した状態を保持するように構成しており、他方のフック２５は、一方の開閉操作部１８と連動してスライド移動する基台２７に揺動自在に支持していて、バネ２８の付勢によって障子４の全閉姿勢での他方の係止部３９ａを係止した状態を保持するように構成しており、操作手段３１での操作によって一方の開閉操作部１８が前記スライド移動したときに、一方のフック３５が一方の係止部３８ａから外れるとともに、一方の開閉操作部１８の移動に連動して基台２７がスライド移動して、他方のフック２５が他方の係止部３９ａから外れるようになっている。
【００１０】
また、障子４が全閉姿勢にあるときに、各フック２５・３５が係止部３８ａ・３９ａから外れる方向にアーム１５・１６を付勢するバネ５８を設けているものとすることができる。
【００１１】
一方の開閉操作部１８には、付勢手段としてのワイヤーロープ３１を架け渡した滑車３２・３３を支持しており、そのワイヤーロープ３１の滑車３２・３３への送り出しによって一方の開閉操作部１８のスライド移動を規制するようになっているものとすることができる。
【００１２】
また、障子４を建物外部側へ付勢する補助バネ６１を設けているものとすることができる。さらに、操作手段３１は、複数の位置で一方の開閉操作部１８を保持するように構成しているものとすることができる。
【発明の効果】
【００１３】
本発明の窓開閉装置は、二本のアーム１５・１６がそれぞれ障子４に接続（支持）されていて、その両アーム１５・１６で障子４の開閉（開度）を操作するので、例えば特許文献１のような一本のアーム（特許文献１では障子側アーム）のみを障子４に接続して、障子４の開閉を操作する場合に比べて、各アーム１５・１６に加わる負担が軽減され、これによって窓開閉装置の長寿命化を図ることができる。
【００１４】
そのうえで、障子４が開いている場合に風が建物外部側から障子４に当たったときには、障子４が建物内部側へ揺動するので、例えば突発的な強風が当ったときに、その風圧で障子４が揺動して窓を閉じることができる。これによって前記強風が建物内部の室内に流れ込んで当該室内の書類などが吹き飛んだりするなどを抑制することができる。また風に応じた開度に障子４が揺動することができ、これによって建物内部に流れ込む風を適正な風量に調節することができる。
【００１５】
本発明を障子４の自重による障子４の上端部の下降に伴ってロッド８が揺動して、障子４を建物外部側へ付勢する、いわゆる辷出し窓に適用した場合には、その障子４の下框６ｂは、図６および図８に示すようにほぼ水平に移動するので、障子４の下框６ｂに接続されるアーム１５・１６の捩じれが生じ難く、その分だけアーム１５・１６の長寿命化を図ることができる。
【００１６】
障子４をロックするロック機構の一方のフック３５が一方の開閉操作部１８に揺動自在に支持されており、他方のフック２５が一方の開閉操作部１８と連動する基台２７に揺動自在に支持されていると、操作手段３１での操作によって一方の開閉操作部１８を移動させるだけで、両フック２５・３５のロック解除を確実に行うことができる。
【００１７】
障子４が全閉姿勢にあるときに、アーム１５・１６を両フック２５・３５が係止部３８ａ・３９ａから外れる方向にアーム１５・１６を付勢するバネ５８を設けていると、操作手段３１での操作によって全閉姿勢の障子４を開くときには、両フック２５・３５が係止部２０ａ・２０ａから確実に外れる。これによって障子４を確実に開くことができる。
【００１８】
一方の開閉操作部１８の滑車３２・３３にワイヤーロープ３１を架け渡すと、その滑車３２・３３が動滑車として機能し、一方の開閉操作部１８にワイヤーロープ３１を直接接続した場合よりも軽い力で一方の開閉操作部１８を移動させることができる。
【００１９】
前記付勢手段に加えて障子４を建物外部側へ付勢する補助バネ６１を設けていると、障子４を建物外部側へ確実に移動させることができる。
【００２０】
操作手段３１が複数の位置で一方の開閉操作部１８を保持するように構成していると、本発明の窓開閉装置を換気の場合にも排煙の場合にも使うことができる。また、例えば本発明の窓開閉装置を換気のみに使う場合において、風速や気温などに合わせて障子４の開度を変更することができる。
【図面の簡単な説明】
【００２１】
【図１】本発明に係る窓開閉装置の横断平面図である。
【図２】本発明に係る窓開閉装置の正面図である。
【図３】窓開閉装置の要部を示す横断平面図である。
【図４】窓開閉装置の要部を示す横断平面図である。
【図５】全閉状態の窓開閉装置の縦断側面図である。
【図６】換気モードの窓開閉装置の縦断側面図である。
【図７】換気モードの窓開閉装置の横断平面図である。
【図８】排煙モードの窓開閉装置の縦断側面図である。
【図９】排煙モードの窓開閉装置の横断平面図である。
【図１０】窓開閉装置の他の実施例の縦断側面図である。
【発明を実施するための形態】
【００２２】
本発明に係る窓開閉装置を辷出し窓に適用した実施例を図面に基づいて説明する。辷出し窓は、図２に示すように、窓部２を左右方向に並べた２連１組の連窓として構成しており、例えばビルなどの建物の外壁に形成した開口に取り付けるようになっている。各窓部２は、建物外壁に配置してあって方形状に枠組みした窓枠３内に、障子４を建物の内外方向に揺動可能な状態で支持している。各障子４は、方形状に枠組みした框６の内方に板ガラス７を装着している。
【００２３】
各障子４の框６における図２の左右両端の縦框６ａ・６ａの外側面の上下中間部と、窓枠３における図２の左右両端の縦枠３ａ・３ａの内側面の上下中間部とには図５に示すロッド８をそれぞれ掛け渡している。各ロッド８は、縦框６ａおよび縦枠３ａに対して揺動自在に支持されている。
【００２４】
図２の左右両端の縦枠３ａ・３ａの内側面の上端部には、図５に示すガイドレール（ガイド）９をそれぞれ配置している。各ガイドレール９は上下方向に延びており、それらのガイドレール９には、各障子４の上端に配置しているガイドローラ１０が上下方向に移動可能な状態で嵌合している。各障子４は、当該障子４の自重による障子４の上端部の下降に伴ってロッド８が揺動して、建物外部側へ付勢されるようになっている。このように、障子４の自重とロッド８とによって付勢手段を構成しており、これによって障子４が建物外部側（開く方向）へ揺動する（図６および図８参照）。
【００２５】
図１に示すように、建物内部に配置されて窓枠３の下枠３ｂに固定された膳板部１１には、各障子４の建物外部側への揺動を制御するとともに障子４を全閉姿勢（図１の状態）でロックする左右一対の窓開閉制御部１２を配置している。各窓開閉制御部１２は、開閉機構およびロック機構をそれぞれ有している。両障子４・４は、後述するように同時に開閉操作されるようになっている。
【００２６】
各開閉機構は、中央で交差する交差状に組み付けられていて、その交差位置に設けた支軸１３（図３）を支点に揺動する細長い板状の一対のアーム１５・１６と、一方のアーム１５の建物内部側となる基端部１５ａを揺動可能に支持している右側（一方）の開閉操作部１８と、他方のアーム１６の建物内部側となる基端部１６ａを揺動可能に支持している左側（他方）の開閉操作部１７と、両アーム１５・１６の先端部１５ｂ・１６ｂを障子４の框６の下框６ｂに沿ってスライド移動可能に支持するガイド棒（ガイド部材）１９とをそれぞれ有している。
【００２７】
ガイド棒１９は、障子４の框６の下框６ｂの上面に設けられていて下框６ｂに沿って左右方向に延びている。左右の開閉操作部１７・１８は、膳板部１１の上面に配置しており、後述するように下枠３ｂに沿ってそれぞれスライド移動可能に構成している。ガイド棒１９には、各アーム１５・１６の建物外部側の先端部１５ｂ・１６ｂに取り付けた係合具２９（図３および図４）を、左右方向へのスライド移動可能な状態で係合している。そのアーム１５・１６の先端部１５ｂ・１６ｂは、係合具２９に対して揺動自在に連結しており、これによって両アーム１５・１６の先端部１５ｂ・１６ｂは、係合具２９・２９を介して障子４の框６の下框６ｂに沿ってスライド移動可能に支持される。
【００２８】
各ロック機構は、図３および図４に示すように、各障子４の下框６ｂの上面にそれぞれ配置している左右一対の係止部材３８・３９と、膳板部１１の上面に配置していて各係止部材３８・３９をそれぞれ係止するための左右のフック部材２１・２２とを有している。各係止部材３８・３９は、下框６ｂの上面に固定される基部３８ｂ・３９ｂと、その基部３８ｂ・３９ｂ上に配置していてフック部材２１・２２に係止される円柱形状の係止部３８ａ・３９ａとからなる。各基部３８ｂ・３９ｂの左右には、左右方向に延びる長穴３８ｃ・３９ｃをそれぞれ形成しており、下框６ｂに対する係止部材３８・３９の左右方向の位置を調節した状態でビス１４を長穴３８ｃ・３９ｃを介して下框６ｂに締め込んで、係止部材３８・３９を下框６ｂに固定するようになっている。
【００２９】
図１において左側となる開閉操作部１７には、図３に示すように、他方のアーム１６の基端部１６ａを揺動可能に軸支する連結軸２３と、その連結軸２３を配置している板状の基台２４とを有している。図１において左側（他方）のフック部材２１には、先端側（建物外部側）を左向きの鉤状に形成していて左側（他方）の係止部材３９の係止部３９ａを係止するフック（他方のフック）２５と、そのフック２５の基端に設けてあって当該フック２５を揺動可能に軸支する揺動軸２６と、その揺動軸２６を支持する基台２７と、フック２５の基端部と基台２７との間で掛け渡しているコイルバネ２８とを有している。コイルバネ２８は、フック２５を建物内部側（反時計方向）に付勢しており、コイルバネ２８の付勢によって障子４の全閉姿勢での左側の係止部２０ａを係止した状態を保持するようになっている（図１参照）。
【００３０】
図１において右側の開閉操作部１８には、図４に示すように、一方のアーム１５の基端部１５ａを揺動可能に軸支する連結軸３０と、その連結軸３０を配置している板状の基台３４とを有している。加えて右側の開閉操作部１８には、ロック機構の右側（一方）のフック部材２２を配置している。また、左右の窓部２のうち、右側の窓部２の基台３４には、例えば手動操作装置（不図示）から送り出されるワイヤーロープ（操作手段）３１を架け渡している一対の滑車３２・３３を有している。その一方の滑車３２は建物内部側に配置してあり、他方の滑車３３は建物外部側に配置している。
【００３１】
図１において右側のフック部材２２は、先端側（建物外部側）を右向きの鉤状に形成していて右側（一方）の係止部材３８の係止部３８ａを係止するフック（一方のフック）３５と、そのフック３５の基端に設けてあって当該フック３５を揺動可能に軸支する揺動軸３６と、フック３５の基端部と右側の開閉操作部１８の基台３４との間で掛け渡しているコイルバネ３７とを有している。揺動軸３６は基台３４に支持している。コイルバネ３７は、フック３５を建物内部側（時計方向）に付勢しており、コイルバネ３７の付勢によって障子４の全閉姿勢での左側の係止部３９ａを係止した状態を保持するようになっている（図１参照）。
【００３２】
各窓部２にあっては、図１に示すように、膳板部１１に沿って左右方向に延びる左右一対のガイドレール４０・４１を配置している。各ガイドレール４０・４１は膳板部１１の上面に配置している。左側のガイドレール４０には、図３に示すように、左側の開閉操作部１７の基台２４の下面に配置している三個のガイドローラ４２と、左側のフック部材２１の基台２７の下面に配置している三個のガイドローラ４３とが係合しており、これによって左側の開閉操作部１７と左側のフック部材２１とが、下框６ｂに沿って左右方向へスライド移動自在になっている。右側のガイドレール４１には、図４に示すように、右側の開閉操作部１８の基台３４の下面に配置している四個のガイドローラ４４が係合しており、これによって右側の開閉操作部１８が下框６ｂに沿って左右方向へスライド移動自在になっている。
【００３３】
図１における膳板部１１の右端には、定滑車４６（図４）を支持する保持台４７を固定している。その保持台４７は右端部が立ち上がっており、その右端部に前記手動操作装置から送り出されたワイヤーロープ３１の保護チューブ４８を保持する保持金具４９と、ワイヤーロープ３１の先端を固定する係止金具５０とを取り付けている。保持金具４９は建物内部側に配置してあり、係止金具５０は建物外部側に配置している。前記手動操作装置から送り出されたワイヤーロープ３１は、保護チューブ４８、一方の滑車３２、保持台４７の定滑車４６および他方の滑車３３を順に介したのちに係止金具５０に係止される。このように、右側の開閉操作部１８にワイヤーロープ３１が架けられていることで、右側の開閉操作部１８はワイヤーロープ３１の送り出しに応じた量しか左側に移動することができない、すなわち、右側の開閉操作部１８は、ワイヤーロープ３１によってスライド移動が規制されることになる。また、滑車３２・３３が動滑車として機能し、右側の開閉操作部１８にワイヤーロープ３１を直接接続した場合よりも軽い力で右側の開閉操作部１８を移動させることができる。
【００３４】
各窓部２において、左側のフック部材２１の基台２７と、右側の開閉操作部１８の基台３４とは、ラック・アンド・ピニオン機構を介して連結している。そのラック・アンド・ピニオン機構は、図３および図４に示すように、一端部（図３では左側）を左側のフック部材２１の基台２７に固定した第１ラック５１と、一端部（図４では右側）を右側の開閉操作部１８の基台３４に固定した第２ラック５２と、膳板部１１において各窓部２の左右方向の中央位置に軸支していて両ラック５１・５２に歯合するピニオン５３とを有している。両ラック５１・５２は膳板部１１に沿って左右方向に延びており、第１ラック５１はピニオン５３の建物内部側に歯合し、第２ラック５２はピニオン５３の建物外部側に歯合している。前記ガイドレール４０・４１はピニオン５３の左右にそれぞれ配置している。
【００３５】
ラック・アンド・ピニオン機構により、左側のフック部材２１と右側の開閉操作部１８とは互いに接近し、または互いに離れるように連動してスライド移動する。つまり、左側のフック部材２１と右側の開閉操作部１８とは互いに反対方向へ移動する。ピニオン５３の配置位置において、第１ラック５１の建物内部側および第２ラック５２の建物外部側には、位置規制部材５５・５５をそれぞれ配置している。それらの位置規制部材５５・５５によって各ラック５１・５２がピニオン５３から外れることが防がれる。
【００３６】
左側の窓部２の第２ラック５２の右端と、右側の窓部２の第２ラック５２の左端とは、連結棒５６で連結しており（図１参照）、これによって左右の窓部２の開閉操作部１８の基台３４が連動するようになっている。その結果、ワイヤーロープ３１によって右側の窓部２の右側の開閉操作部１８の移動を操作するだけで、両障子４・４を同時に開閉操作することができる。
【００３７】
図４に示すように、各窓部２のガイド棒１９において、当該ガイド棒１９の右端と一方のアーム１５側の係合具１６との間にはコイルバネ５８を配置している。そのコイルバネ５８によって、障子４が全閉姿勢（図４の状態）にあるときの一方のアーム１５の先端部１５ｂが左側に付勢される。その結果、両フック２５・３５は、係止部２０ａ・２０ａから外れる方向に付勢される。
【００３８】
つまり、前記全閉状態の両窓部２・２を開くために前記手動操作装置からワイヤーロープ３１を送り出したときには、コイルバネ５８の付勢力で両アーム１５・１６を介して右側の開閉操作部１８が左側に移動して、右側の係止部材３８の係止部３８ａからフック３５が外れる。また、その右側の開閉操作部１８の移動によって、左側のフック部材２１がラック・アンド・ピニオン機構を介して右側に移動し、左側の係止部材３９の係止部３９ａからフック２５が外れる。それによって両障子４・４のロックが解除され、両障子４・４が開閉揺動可能になる。なお、コイルバネ５８の付勢力で両アーム１５・１６が左側に移動したときには、それに応じて左側の開閉操作部１７も左側に移動する。
【００３９】
次に、本発明に係る窓開閉装置の動作について説明する。各窓部２の障子４が、図１および図５に示す全閉姿勢にあるときには、各窓部２の左右のフック部材２１・２２のフック２５・３５が障子４の左右の係止部材３８・３９の係止部３８ａ・３９ａをそれぞれ係止しており、前記全閉姿勢の両障子４・４がロックされている。
【００４０】
その状態で、前記手動操作装置が操作されてワイヤーロープ３１が送り出されると、前述の要領で両障子４・４のロックが解除される。その両障子４・４には前述のように建物外部側（開く方向）へ揺動する力が働いているために、その両障子４・４の作用によってロック解除後の両アーム１５・１６の先端部１５ｂ・１６ｂが建物外部側へ引っ張られ、両アーム１５・１６は、支軸１３を支点に基端部１５ａ・１６ａどうしおよび先端部１５ｂ・１６ｂどうしが接近する方向（各窓部２の中央方向）、すなわち互いに反対方向へ揺動する（図４参照）。
【００４１】
それにより、他方のアーム１６の基端部１６ａに連結された右側の開閉操作部１８が左側に移動しようとするが、その右側の開閉操作部１８は、前述のようにワイヤーロープ３１の送り出しに応じた量しか左側に移動することができない。そのため、障子４は、ワイヤーロープ３１の送り出し量分しか揺動（開度）することができない。言い換えるとワイヤーロープ３１の送り出し量で各障子４の揺動は決定される。
【００４２】
例えば換気モードのときには、図６および図７に示す障子４の開度になるようにワイヤーロープ３１の送り出し量が設定される。例えば排煙モードのときには、図８および図９に示す障子４の開度になるようにワイヤーロープ３１の送り出し量が設定される。なお、この実施例では、換気モードの障子４の開度として一つだけ例示しているが（図６）、その換気モードの障子４の開度としては、二つ以上を選択できるようにしてもよい。その場合、各開度の位置で右側の開閉操作部１８が保持されるようにワイヤーロープ３１の送り出しが設定される。
【００４３】
また、換気モードのときの各障子４に強風が当たったときには、それに伴って各障子４が建物内部側（閉じ方向）へ揺動しようとする。その強風による各障子４の揺動に伴って両アーム１５・１６の基端部１５ａ・１６ａが左右方向に離れるように、すなわち互いに反対方向に両アーム１５・１６が揺動する。すると、両アーム１５・１６の基端部１５ａ・１６ａが、左側の開閉操作部１７を左側に、右側の開閉操作部１８を右側にそれぞれ押すが、右側の開閉操作部１８は、コイルバネ５８の付勢力で右側への移動が抑えられる。これにより、前記揺動によって右側の開閉操作部１８が動いてワイヤーロープ３１が緩み、ワイヤーロープ３１が滑車３２・３３・４６から外れることが防止される。
【００４４】
一方、左側のフック部材２１の基台２７は左側の開閉操作部１７の右側に位置しているために、当該基台２７は左側の開閉操作部１７の左側への移動を妨げない。それによって各障子４に強風が当たったときには、左側の開閉操作部１７が難なく移動して、各障子４が閉じ方向へ容易に揺動する。障子４は、例えば風速３ｍ／s以上の風で閉じ方向への揺動を開始し、風速１０ｍ／s以上で障子４が全閉姿勢になる。風が風速３ｍ／sよりも低くなると、障子４の自重によって図６の開度に復帰する。なお、例えば風速１０ｍ／s以上の風で閉じ方向への揺動を開始して、そのまま障子４が全閉姿勢になるようにしてもよい。
【００４５】
排煙モードにする場合には、例えば図８および図９に示す障子４の開度までワイヤーロープ３１が送り出される。その排煙モードの開度は、前述の換気モードの開度よりも大きくなるようにワイヤーロープ３１の送り出し量が設定されており、各窓部２は大きく開放されて迅速な排煙が行われる。その排煙モードでは、両アーム１５・１６は、換気モードのときよりも障子４に対して垂直に近い状態になるために、強風が各障子４に当っても、両アーム１５・１６が突っ張り棒の役目をして、各障子４は建物内部側、すなわち閉じ方向にほとんど揺動しない。
【００４６】
各窓部２の障子４を全閉姿勢に操作する場合には、手動操作装置を操作してワイヤーロープ３１を巻き戻す。それに伴って右側の開閉操作部１８が右側に移動し、ラック・アンド・ピニオン機構を介して左側のフック部材２１が左側に移動する。その左側のフック部材２１の左側への移動によって、左側のフック部材２１の基台２７が左側の開閉操作部１７の基台２４に当接して、左側の開閉操作部１７を左側へ移動させる。それにより、両アーム１５・１６が、基端部１５ａ・１６ａどうしおよび先端部１５ｂ・１６ｂどうしが離れる方向、すなわち互いに反対方向に揺動し、各障子４が閉じ方向に揺動し、図１および図５に示す全閉姿勢に至る。
【００４７】
その全閉姿勢に至るときには、左右のフック部材２１・２２のフック２５・３５の先端が左右の係止部材３８．３９の係止部３８ａ・３９ａにそれぞれ当接し、左側のフック部材２１のフック２５がコイルバネ２８の付勢力に抗して揺動して、左側の係止部材３９の係止部３９ａを係止する。また、右側のフック部材２２のフック３５がコイルバネ３７の付勢力に抗して揺動して、右側の係止部材３８の係止部３８ａを係止する。これによって全閉姿勢の両障子４・４がロックされる。
【００４８】
このように、一対のアーム１５・１６が開閉操作部１７・１８とガイド部材１９とを介して窓枠３と障子４との間を接続するようになっており、その一対のアーム１５・１６で障子４の開閉（開度）を操作するので、その分だけ障子４の開閉操作のために各アーム１５・１６に加わる負担が軽減され、窓開閉装置の長寿命化を図ることができる。そのうえで、障子４が開いている場合に風が建物外部側から障子４に当たったときには、障子４が建物内部側へ揺動するので、例えば突発的な強風が当ったときに、その風圧で障子４が揺動して窓を閉じることができる。
【００４９】
障子４の下框６ｂは、図６および図８に示すようにほぼ水平に移動するので、障子４の下框６ｂに接続されるアーム１５・１６の捩じれが生じ難く、その分だけアーム１５・１６の長寿命化を図ることができる。
【００５０】
前記実施例では、障子４の自重のみに基づいて障子４を建物外部側へ付勢したが、図１０に示すように、その障子４の自重による付勢に加えて補助バネ６１で障子４を建物外部側へ補助的に付勢してもよい。
【００５１】
具体的には、図２の左右両端の縦枠３ａ・３ａの内側面の上端部には、図１０に示すガイドレール６２をそれぞれ配置している。各ガイドレール６２は上下方向に延びており、それらのガイドレール６２には、上下方向に延びている移動部材６３が上下方向に移動可能な状態で嵌合している。移動部材６３の上端には、逆Ｌ字状の補助ロッド６４の上端部を揺動自在に連結しており、その補助ロッド６４の下端を、ロッド８の上下方向の中央に揺動自在に連結している。移動部材６３の下端には、コイルバネなどからなる前記補助バネ６１の上端を取り付けており、補助バネ６１の下端を縦枠３ａの内側面に取り付けている。
【００５２】
補助バネ６１は、移動部材６３を下向きに引っ張るように付勢しており、それによって補助ロッド６４がロッド８の上下方向の中央を下向きに押し、それに伴ってロッド８が図１０の下方向に揺動するように付勢される。その結果、障子４は建物外部側へ揺動する方向に補助的に付勢され、障子４がより確実に開かれる。その他の構成は、図１ないし図９に示す実施例と同様であるので説明を省略する。
【００５３】
なお、前記説明では、本発明の窓開閉装置は換気モードと排煙モードとに設定できるようになっているが、換気モードのみ設定できるようにしてもよい。加えて、その場合の換気モードの障子４の開度としては、二つ以上を選択できるようにしてもよい。
【符号の説明】
【００５４】
３  窓枠
３ａ  縦枠
４  障子
６  框
６ａ  縦框
６ｂ  下框
８  ロッド
９  ガイドレール
１３  支軸
１５  一方のアーム
１５ａ  一方のアームの基端部
１５ｂ  一方のアームの先端部
１６  他方のアーム
１６ａ  他方のアームの基端部
１６ｂ  他方のアームの先端部
１７  左側の開閉操作部
１８  右側の開閉操作部
１９  ガイド棒
３８ａ・３９ａ  係止部
２５・３５  フック
２７  基台
３１  ワイヤーロープ
３２・３３  滑車
５８  コイルバネ
６１  補助バネ
【図１】
0005563960.tif 000002
【図２】
0005563960.tif 000003
【図３】
0005563960.tif 000004
【図４】
0005563960.tif 000005
【図５】
0005563960.tif 000006
【図６】
0005563960.tif 000007
【図７】
0005563960.tif 000008
【図８】
0005563960.tif 000009
【図９】
0005563960.tif 000010
【図１０】
0005563960.tif 000011